(57)【特許請求の範囲】
【請求項１】
レール状に延在し引戸に取り付けた第1部材と、同方向にレール状に延在し面板に取り付けた第２部材とを長さ方向に摺動させる摺動装置であって、
前記第１部材は、上端面に長さ方向に沿って延びる溝を開口し、該溝は内奥部に弧状内面を有すると共に、該弧状内面から前記上端面に向けて溝幅が拡大する斜面を有し、
前記第２部材は第１辺部を有し、該第１辺部は上方から前記溝内に挿入すると共に先端に前記溝の弧状内面内に挿入される断面弧状の摺動部を有し、前記第１部材を前記第２部材に対し前記断面弧状の摺動部を中心に傾むけた状態で前記引戸を前記面板に対し摺動可能とすることを特徴とする摺動装置。
【請求項２】
前記第２部材において、前記第１辺部は第２辺部に対し略直交して連結し、前記第２辺部は第３辺部に対し略直交して連結し、前記第３辺部は第４辺部に対し略直交して連結したことを特徴とする請求項１に記載の摺動装置。
【請求項３】
前記第２〜第４辺部により囲んだ内部空間には、弾性体を配置したことを特徴とする請求項２に記載の摺動装置。
【請求項４】
前記第１部材に取り付けた前記引戸を前記第２部材に取り付けた前記面板に対して摺動させる請求項１〜３の何れか１項に記載の摺動装置を有することを特徴とする筐体。
【発明の詳細な説明】
【技術分野】
【０００１】
本発明は、摺動装置及び筐体に関する。
【背景技術】
【０００２】
博物館等で使用される展示ケースとして、大型の戸板を、安全、かつ、容易に摺動させることのできる引戸装置を備えたものが知られている。例えば、特許文献１には、筐体の開口部に、固定戸板と可動戸板とを同一面上に配列し、可動戸板によって、開閉されるようになっており、引戸装置は、上部レールと、この上部レールの固定戸板の上部角近くにおいて上部レールから分岐して前方に突出した分岐レールと、可動戸板の上部両角に設けられ、可動戸板を吊り下げ状態で上部レールを走行する左右１対の左右走行ローラと、開口部閉成状態における可動戸板の、固定戸板に隣接する上部角に設けられて、分岐レールを走行する前後走行ローラとを備えたものが開示されている。
【０００３】
ところで、大型の引戸を摺動させる引戸装置を備えた展示ケースでは、案内レールと摺動体との間の正当なかみ合わせが損なわれると、引戸の重量が大きいこともあって、案内レール又は摺動体が損傷してしまうことがある。このような損傷は、当業者間では、一般に「カジリ」と称されている。案内レールと、ローラ等の摺動体とのかみ合わせのずれを生じさせる原因の一つは、戸板の摺動において不可避的に発生する引戸の傾斜であり、その対策が難しい。展示ケースの他、商品収納示ケース、食器棚、キッチンボード、カップボード、タンス等においても、同様の問題を生じる。
【０００４】
特許文献1は、戸板の傾斜に起因する「カジリ」の問題について言及していないし、勿論、その解決手段も開示していない。
【先行技術文献】
【特許文献】
【０００５】
【特許文献１】特開平１０−２８０７９１号公報
【発明の概要】
【発明が解決しようとする課題】
【０００６】
本発明の課題は、いわゆる「カジリ」を防止するのに有効な摺動装置及びそれを用いた筐体を提供することである。
【課題を解決するための手段】
【０００７】
上述した課題を解決するための本発明に係る摺動装置は、レール状に延在し引戸に取り付けた第1部材と、同方向にレール状に延在し面板に取り付けた第２部材とを長さ方向に摺動させる摺動装置であって、前記第１部材は、上端面に長さ方向に沿って延びる溝を開口し、該溝は内奥部に弧状内面を有すると共に、該弧状内面から前記上端面に向けて溝幅が拡大する斜面を有し、前記第２部材は第１辺部を有し、該第１辺部は上方から前記溝内に挿入すると共に先端に前記溝の弧状内面内に挿入される断面弧状の摺動部を有し、前記第１部材を前記第２部材に対し前記断面弧状の摺動部を中心に傾むけた状態で前記引戸を前記面板に対し摺動可能とすることを特徴とする。
【０００８】
上述した摺動装置は、引戸を有する筐体において、引戸を摺動させる摺動装置として用いられる。ここで、本発明に係る摺動装置は、第１部材と、第２部材とを含んでおり、第１部材は、端面に、長さ方向に沿って延びる溝を有しており、第２部材は溝に挿入される摺動部を有するから、第１部材の溝内に第２部材の摺動部を挿入し、第１部材及び第２部材を、第１部材の端面に形成された溝内で組み合わせることができる。この組合せによれば、第１部材及び第２部材を、溝に沿って、その長さ方向に相対的に摺動させることができる。即ち、引戸機構を構成することができる。
【０００９】
しかも、第１部材の溝は、溝内奥部に弧状内面を有しており、溝内に挿入された第２部材の摺動部は断面弧状であるから、第２部材の摺動部が第１部材の溝内奥部において、その弧状内面に沿い、長さ方向の軸周りに、ある角度で円滑に回転し得る。このため、第１部材を取り付けた引戸が、第２部材を取り付けた第２面板に対してある角度で傾斜した場合でも、これに追従させることができる。これにより、引戸を摺動させた場合でも、いわゆる「カジリ」を生じることがない。
【００１０】
更に、溝内奥部に弧状内面を有し、弧状内面から端面に向けて溝幅が拡大する斜面を有しているから、斜面の角度の選定によって、引戸に対する許容傾斜角度を調整し、「カジリ」の発生を、より確実に押えることができる。
【００１１】
また、第１部材及び第２部材の組合せ部分が溝内部に形成されることになるから、美的外観を損なうことがない。
【００１２】
本発明は、展示ケースの他、商品収納示ケース、食器棚、キッチンボード、カップボード、タンス等にも適用することができる。
【発明の効果】
【００１３】
以上述べたように、本発明によれば、いわゆる「カジリ」を防止するのに有効な摺動装置及びそれを用いた筐体を提供することができる。
【００１４】
本発明の他の目的、構成及び利点については、添付図面を参照し、更に詳しく説明する。添付図面は、単に、例示に過ぎない。
【図面の簡単な説明】
【００１５】
【図１】本発明の実施形態に係る摺動装置の概略的な構成を示す斜視図である。
【図２】図１に示した摺動装置を用いた筐体の概略的な斜視図である。
【図３】図２に示した筐体の部分拡大断面図である。
【図４】図２及び図３に示した筐体の作用を説明する部分拡大断面図である。
【図５】図２及び図３に示した筐体の他の作用を説明する部分拡大断面図である。
【図６】図１に示した摺動装置を用いた筐体の別の形態における概略的な斜視図である。
【発明を実施するための形態】
【００１６】
図１を参照すると、本発明に係る摺動装置１は、第１部材１１と、第２部材１２とを含む。第１部材１１及び第２部材１２は、一方向に延びるレール状であって、好ましくは、低摩擦のアルミ系金属もしくは合金で構成される。
【００１７】
第１部材１１は、断面角形部材であって、一端面１１１に、長さ方向Ｙに沿って延びる溝１１２を有している。溝１１２は、溝１１２の内奥部（底部）に弧状内面１１３を有し、内面１１３から端面１１１に向けて溝１１２の幅が、幅方向Ｘに拡大する斜面１１４を有している。斜面１１４と弧状内面１１３との間の境界部分は口径が絞られ、狭くなっている。弧状内面１１３の弧の角度は、２７０度前後であることが好ましい。
【００１８】
第２部材１２は、溝１１２に挿入される断面弧状の摺動部１２０を有する。摺動部１２０の弧の角度は、２７０度前後であることが好ましい。第２部材１２は、第１部材１１と同様の材料でなり、レール状に延びている。断面弧状の摺動部１２０も、長さ方向にレール状に延びている。摺動部１２０の直径は、第１部材１１における斜面１１４と弧状内面１１３との間の境界部分は口径よりも少し大きいことが好ましい。溝１１２に対する摺動部１２０のはめ込みを容易にするとともに、はめ込み後の逸脱を阻止する必要があるからである。
【００１９】
第２部材１２は、断面弧状の摺動部１２０に連続する第１辺部１２１と、第１辺部１２１に連なり幅方向Ｘに延びる第２辺部１２２と、第２辺部１２２に連なり高さ方向Ｚに垂下する第３辺部１２３と、第３辺部１２３に連なり第２辺部１２２とは逆方向に延びる第４辺部１２４とを有する。第４辺部１２４の端部は、第１部材１１との間に隙間を保っている。第１辺部１２１は、第１部材１１の斜面１１４と同じ傾斜方向に傾斜して、溝１１２の外部に延びている。
【００２０】
第２部材１２の第２辺部１２２〜第４辺部１２４によって包囲された内部空間１２５には、弾性体１３が配置されている。もっとも、このような配置に限定するものではない。この弾性体１３は、有機系弾性材料又は金属系弾性材料で構成し得る。図示の弾性体１３は、中空部１３２を有する筒状体１３１でなり、筒状体１３１の外面に突設した条片１３４の一端を、第１部材１１に埋め込んで固定するとともに、条片１３４とは反対側において、筒状体１３１の外面に形成した平坦部１３３を、第３辺部１２３の内面に圧接させてある。従って、第１部材１１と第２部材１２との間には、弾性体１３の弾力性が常に印加されている。弾性体１３は、図示の筒状体１３１に限定されない。板状部材であってもよいし、コイル状であってもよいし、中空部１３２のない中実状であってもよい。
【００２１】
本発明に係る摺動装置は、第１部材１１と、第２部材１２とを含んでおり、第１部材１１は、端面１１１に、長さ方向に沿って延びる溝１１２を有しており、第２部材１２は、溝１１２に挿入される摺動部１２０を有するから、第１部材１１の溝１１２の内部に第２部材１２の摺動部１２０を挿入し、溝１１２内で組み合わせることができる。この組合せによれば、第１部材１１及び第２部材１２を、溝１１２に沿って、その長さ方向に相対的に摺動させることができる。即ち、引戸機構を構成するのに好適な摺動装置を提供することができる。
【００２２】
しかも、第１部材１１の溝１１２は、溝１１２の内奥部（底部）に弧状内面１１３を有しており、溝１１２内に挿入される第２部材１２の摺動部１２０も断面弧状であるから、第２部材１２の摺動部１２０が第１部材１１の溝１１２の内奥部（底部）において、その弧状内面１１３に沿い円滑に回転し得る。このため、第１部材１１と、第２部材１２とが、所定の角度からずれた角度で組み合わされた場合でも、いわゆる「カジリ」を生じることがない。
【００２３】
更に、溝１１２の内奥部（底部）に弧状内面１１３を有し、弧状内面１１３から端面１１１に向けて溝幅が拡大する斜面１１４を有しているから、斜面１１４の角度の選定によって、「カジリ」の発生を、より確実に押えることができる。また、第１部材１１及び第２部材１２の組合せ部分が溝１１２内部に形成されることになるから、美的外観を損なうことがない。
【００２４】
次に、上述した本発明に係る摺動装置を用いた筐体について、図２〜図６を参照して説明する。既に述べたように、本発明に係る筐体には、美術館や博物館などで展示品を収容する展示ケース、商品収納示ケース、食器棚、キッチンボード、カップボード、タンス等、広範囲のものが含まれる。図２に図示する筐体３は、説明の簡単化のために、引戸３１、上面板３２、底面板３３、側面板３４、側面板３５及び側面板３６を有する極めて単純な六面体状としてある。本発明に係る摺動装置１Ａは、長さ方向Ｙに摺動される引戸３１と、それに隣接する上面板３２との間に用いられる。引戸３１及び底面板３３の間の摺動装置１Ｂは、摺動装置１Ａと同じものであってもよいし、全く別のものであってもよい。
【００２５】
より詳しくは、図３に図示するように、第１部材１１を、引戸３１の高さ方向Ｚの上端面１１１にはめ込んで固定し、第２部材１２を引戸３１と上面側で隣接する上面板３２にはめ込んで固定してある。はめ込み及び固定は、機械的結合、接着又は両者の組合せによって行う。
【００２６】
ここで、本発明に係る摺動装置１Ａは、第１部材１１と、第２部材１２とを含んでおり、第１部材１１は、端面１１１に、長さ方向Ｙに沿って延びる溝１１２を有しており、第２部材１２は溝１１２に挿入される摺動部１２０を有するから、第１部材１１の溝１１２内に第２部材１２の摺動部１２０を挿入し、第１部材１１及び第２部材１２を、第１部材１１の端面１１１に形成された溝１１２内で組み合わせることができる。この組合せによれば、第１部材１１を有する引戸３１を、第２部材１２を取り付けた上面板３２に対して、溝１１２に沿って、その長さ方向Ｙに摺動させることができる。即ち、引戸機構を構成することができる。
【００２７】
しかも、第１部材１１の溝１１２は、溝１１２の内奥部（底部）に弧状内面１１３を有しており、溝１１２内に挿入さされた第２部材１２の摺動部１２０は断面弧状であるから、第２部材１２の断面弧状の摺動部１２０が第１部材１１の溝１１２の内奥部（底部）において、その弧状内面１１３に沿い、長さ方向Ｙの軸周りに円滑に回転し得る。このため、第１部材１１を取り付けた引戸３１が、第２部材１２を取り付けた上面板３２に対して、図４に図示するように、角度（+θ１）だけ傾斜した場合でも、或いは、図５に図示するように、図４とは逆方向に角度（‐θ１）だけ傾斜した場合でも、いわゆる「カジリ」を生じることなく、引戸３１を摺動させることができる。
【００２８】
更に、溝１１２の内奥部（底部）に弧状内面１１３を有し、弧状内面１１３から端面１１１に向けて溝幅が拡大する斜面１１４を有しているから、斜面１１４の角度の選定によって、「カジリ」の発生を、より確実に押えることができる。
【００２９】
また、第１部材１１及び第２部材１２の組合せ部分が溝１１２の内部に形成されることになるから、美的外観を損なうことがない。
【００３０】
図６の実施の形態では、第２部材１２の上面側を上面板３２によって覆い、上面板３２の前端３２１を、引戸３１の上方位置まで突出させてある。引戸３１の上端面を、図３〜図５の実施の形態よりも下方に位置させ、引戸３１と上面板３２との間に相対的な回転（図４、図５参照）が生じた場合でも、ある回転角度までは、引戸３１と上面板３２との間に相互接触が発生しないようにしてある。
【００３１】
以上、好ましい実施例を参照して本発明の内容を具体的に説明したが、本発明の基本的技術思想及び教示に基づいて、当業者であれば、種種の変形態様を採り得ることは自明である。
【符号の説明】
【００３２】
１                    摺動装置
１１                    第１部材
１１２                    溝
１１３                    弧状内面
１１４                    斜面
１２                    第２部材
１２０                    摺動部
３                    筐体
３１                    引戸
３２                    第２面板
【要約】
【課題】いわゆる「カジリ」を防止するのに有効な摺動装置及びそれを用いた筐体を提供すること。
【解決手段】  第１部材１１と、第２部材１２とを含む摺動装置である。第１部材１１は、端面１１１に、長さ方向Ｙに沿って延びる溝１１２を有している。溝１１２は、内奥部に弧状内面１１３を有し、弧状内面１１３から端面１１１に向けて溝幅が拡大する斜面１１４を有している。第２部材１２は、溝１１２に挿入される断面弧状の摺動部１２０を有する。
【選択図】図１【図１】
0005740519.tif 000002
【図２】
0005740519.tif 000003
【図３】
0005740519.tif 000004
【図４】
0005740519.tif 000005
【図５】
0005740519.tif 000006
【図６】
0005740519.tif 000007